(57)【特許請求の範囲】
【請求項１】
操作線材が軸線方向に進退自在に挿通配置された可撓性シースの基端が着脱自在に連結され、上記操作線材の基端が着脱自在に連結された操作部材が上記操作線材の進退方向に合わせて進退自在に配置された内視鏡用処置具の操作部において、
上記操作線材を上記可撓性シース内に押し込む方向の上記操作部材の移動範囲を規制するための管状のストッパを、刃物で切断できる非金属材料からなる可撓性チューブにより形成して、上記操作線材に緩く被嵌させて上記可撓性シースの基端部分に着脱自在に取り付けたことを特徴とする内視鏡用処置具の操作部。
【発明の詳細な説明】
【０００１】
【発明の属する技術分野】
この発明は、内視鏡の処置具挿通チャンネルに通して使用される内視鏡用処置具の操作部に関する。
【０００２】
【従来の技術】
内視鏡用処置具の操作部は一般に、操作ワイヤが軸線方向に進退自在に挿通配置された可撓性シースの基端が連結され、操作ワイヤの基端が連結された操作部材が、操作ワイヤの進退方向に合わせて進退自在に配置されている。
【０００３】
そのような内視鏡用処置具の操作ワイヤは、押し込み操作量が必要以上に大きすぎると座屈破損してしまうので、操作ワイヤを押し込む方向の操作範囲を規制するためのストッパが必要である。
【０００４】
そこで従来は、例えば図６に示されるように、操作ワイヤ９１の基端部分に固着連結された駆動ロッド９２の先端が当接する段差９３を可撓性シース９４の基端口金９５内等に設けてストッパにしていた。
【０００５】
【発明が解決しようとする課題】
しかし、例えば大腸用内視鏡に用いられる処置具等のように、可撓性シース９４の長さが２ｍ程度のものになると、可撓性シース９４の長さと操作ワイヤ９１の長さとのずれ量が大きくなるため、操作ストロークＳがばらついてしまう。
【０００６】
そして、操作ストロークＳが短すぎると作動不良になり、長すぎると操作ワイヤ９１の座屈破損が発生してしまう。処置具を繰り返し使用することによって操作ワイヤ９１が伸びた場合にも、長すぎと同様の現象が発生する。
【０００７】
また、内視鏡用処置具の操作部は、全く同じタイプのものであっても多種多様の処置具に共用される場合が多いので、機種に合わせて操作ストロークＳを設定する必要があるが、上述の従来の内視鏡用処置具の操作部では、操作ワイヤ９１に対する駆動ロッド９２の固着位置を変える必要があるため、一つ一つの変更作業が非常に面倒であった。
【０００８】
そこで本発明は、操作ストロークを最適な状態に容易に設定及び変更することができる内視鏡用処置具の操作部を提供することを目的とする。
【０００９】
【課題を解決するための手段】
上記の目的を達成するため、本発明の内視鏡用処置具の操作部は、操作線材が軸線方向に進退自在に挿通配置された可撓性シースの基端が着脱自在に連結され、上記操作線材の基端が着脱自在に連結された操作部材が上記操作線材の進退方向に合わせて進退自在に配置された内視鏡用処置具の操作部において、上記操作線材を上記可撓性シース内に押し込む方向の上記操作部材の移動範囲を規制するための管状のストッパを、刃物で切断できる非金属材料により形成して、上記操作線材に緩く被嵌させて上記可撓性シースの基端部分に着脱自在に取り付けたことを特徴とする。
【００１０】
なお、上記ストッパが可撓性チューブによって形成されていてもよい。
【００１１】
【発明の実施の形態】
図面を参照して本発明の実施の形態を説明する。
図２は、内視鏡用処置具の一つである生検鉗子を示しており、内視鏡の処置具挿通チャンネルに挿脱される可撓性シース１は密着巻きコイルパイプで形成されている。
【００１２】
可撓性シース１の基端には操作部１０が着脱自在に連結されており、可撓性シース１内に軸線方向に進退自在に全長にわたって挿通配置されている操作ワイヤ（図２には図示せず）を操作部１０で進退操作することにより、可撓性シース１の先端に配置された鉗子カップ２（先端処置部材）を遠隔的に開閉させることができる。
【００１３】
４は、可撓性シース１の基端に設けられた基端口金５を操作部１０に着脱自在に係止するための連結固定筒、６は、可撓性シース１の基端部分が急激に曲がって腰折れするのを防止するための折れ止めチューブである。
【００１４】
棒状に形成された操作部本体１１の手元側端部には、操作者の手の親指を係合させるためのリング状指掛け１２が設けられ、人指し指と中指を係合させるための糸巻状指掛け１３（操作部材）が、操作部本体１１に沿ってスライド自在に取り付けられている。
【００１５】
操作部本体１１に軸線方向に細長く形成されたスリ割り１４内には、糸巻状指掛け１３に固定されて糸巻状指掛け１３と共に移動するワイヤ連結座１５が、軸線方向にスライド自在に配置されている。
【００１６】
３ａは、可撓性シース１内に挿通配置されている操作ワイヤの基端に固着連結された駆動ロッドであり、操作ワイヤと共に本発明における「操作線材」に該当している。
【００１７】
駆動ロッド３ａの基端部分は手動ロックネジ１６によってワイヤ連結座１５に固定されている。なお、高周波電流を使用する処置具にもこの操作部１０を使用できるように、手動ロックネジ１６は高周波電源コードを接続可能な接続端子を兼用している。
【００１８】
８は、可撓性シース１の基端口金５に取り付けられた管状のストッパチューブであり、ワイヤ連結座１５の前端面がストッパチューブ８に当接することにより、駆動ロッド３ａを基端口金５内に押し込む方向（即ち、操作ワイヤを可撓性シース１内に押し込む方向）の糸巻状指掛け１３の移動範囲（ストロークＳ）が規制される。
【００１９】
図１は、可撓性シース１と操作部１０との連結部分を拡大して示しており、駆動ロッド３ａに連結された操作ワイヤ３も示されている。連結固定筒４は、軸線方向に移動できないように但し軸線周りには例えば４５°回転自在に、操作部本体１１の先端部に取り付けられている。
【００２０】
図３は、図１におけるＡ−Ａ断面を示しており、操作部本体１１の先端部分には軸線と平行方向に例えば９０°間隔でスリット１１ａが形成されているので、その部分を基端口金５がない状態で内側に弾性変形させることにより、連結固定筒４を取り付けることができる。
【００２１】
図１におけるＢ−Ｂ断面を示す図４に示されるように、連結固定筒４の前端壁には基端口金５の角軸部５ａが通過する角孔４ａが形成されており、そこから操作部本体１１の内側部分に形成された角孔４ａ内に、可撓性シース１の基端口金５の角軸部５ａを嵌め込むことができる。
【００２２】
したがって、基端口金５は操作部本体１１に対して係脱自在であり、Ｂ−Ｂ断面を示す図５に示されるように連結固定筒４を４５°回転させることにより、連結固定筒４の角孔４ａが基端口金５の角軸部５ａを通さない向きになり、基端口金５が操作部本体１１に係止された状態になる。
【００２３】
ストッパチューブ８は、例えば四フッ化エチレン樹脂チューブ等のような可撓性チューブによって形成されており、操作部本体１１のスリ割り１４内に達するように、基端口金５の軸線位置に後方に向けて突設された外面が鋸歯状断面の筒状のチューブ接続部５ｂに接続固定されている。
【００２４】
その接続固定部においては、チューブ接続部５ｂがストッパチューブ８の端部内にきつく差し込まれた状態になっており、ストッパチューブ８が駆動ロッド３ａを緩く被嵌する状態でスリ割り１４内に延出配置されて、その突端面８ａがワイヤ連結座１５と当接するストッパ面になっている。
【００２５】
このように構成された内視鏡用処置具の操作部は、連結固定筒４を４５°回転させ、手動ロックネジ１６を緩めることにより、可撓性シース１（及び基端口金５）と操作ワイヤ３（及び駆動ロッド３ａ）を、操作部１０から軸線方向に引き出して分離することができる。
【００２６】
そして、ストッパチューブ８は強く引っ張れば基端口金５のチューブ接続部５ｂから外すことができ、駆動ロッド３ａの外径寸法は全長にわたってストッパチューブ８の内径寸法より細いので、ストッパチューブ８を単体の状態で容易に着脱することができる。
【００２７】
したがって、操作部１０に連結される処置具に合わせてストッパチューブ８を最適の長さにカットして取り付け、操作ストロークＳを最適な状態に容易に設定及び変更することができる。
【００２８】
なお、本発明は上記実施の形態に限定されるものではなく、例えばストッパチューブ８は可撓性チューブ以外の、刃物で切断できる非金属材料からなる管状体であればよく、基端口金５に対するストッパチューブ８の取り付けはねじ込みその他の手段であってもよい。
【００２９】
【発明の効果】
本発明によれば、操作線材を可撓性シース内に押し込む方向の操作部材の移動範囲を規制するための管状のストッパを、操作線材を緩く被嵌する状態に可撓性シースの基端部分に着脱自在に取り付けたことにより、ストッパの長さを変更して付け替えて操作ストロークを最適な状態に容易に設定及び変更することができる。
【図面の簡単な説明】
【図１】本発明の実施の形態の内視鏡用処置具の可撓性シースと操作部との連結部分の拡大側面断面図である。
【図２】本発明の実施の形態の内視鏡用処置具の全体構成図である。
【図３】本発明の実施の形態の図１におけるＡ−Ａ断面図である。
【図４】本発明の実施の形態の図１における連結固定筒が非固定状態にあるときのＢ−Ｂ断面図である。
【図５】本発明の実施の形態の図１における連結固定筒が固定状態にあるときのＢ−Ｂ断面図である。
【図６】従来の内視鏡用処置具の可撓性シースと操作部との連結部分の側面断面図である。
【符号の説明】
１  可撓性シース
３  操作ワイヤ（操作線材）
３ａ  駆動ロッド（操作線材）
４  連結固定筒
５  基端口金
５ｂ  チューブ接続部
８  ストッパチューブ（ストッパ）
８ａ  ストッパ面
１０  操作部
１１  操作部本体
１３  糸巻状指掛け（操作部材）
１５  ワイヤ連結座
【図１】
0003634644.tif 000002
【図２】
0003634644.tif 000003
【図３】
0003634644.tif 000004
【図４】
0003634644.tif 000005
【図５】
0003634644.tif 000006
【図６】
0003634644.tif 000007